(57)【要約】【課題】レセプタクル接点の短絡を防止可能なコンソールボックスを提供する。【解決手段】上部にカップホルダ７を有するコンソール本体２の壁面に凹陥部３を形成し、レセプタクル４を凹陥部３に取り付け、凹陥部３の内周面のうちのレセプタクル４上方個所にスリット９を穿設している。カップ６内部から飛散または溢れた飲料の液滴８は、レセプタクル４へ至る経路にあるスリット９により進行を阻止されて滴下し、これにより、レセプタクル４の接点の短絡を防止する。【選択図】        図１
2004314667.tif 000002
【特許請求の範囲】
【請求項１】
上部にカップホルダを有するコンソール本体の壁面に凹陥部を形成し、プラグを抜差し可能なレセプタクルを凹陥部に取り付け、コンソール本体の壁面に連なる凹陥部の内周面のうちのレセプタクル上方個所にスリットを穿設したことを特徴とするコンソールボックス。
【請求項２】
スリット縁部に下方へ向かって突出する液切り突起を設けた請求項１に記載のコンソールボックス。
【請求項３】
上部にカップホルダを有するコンソール本体の壁面に凹陥部を形成し、プラグを抜差し可能なレセプタクルを凹陥部に取り付け、コンソール本体の壁面に連なる凹陥部の内周面に、その全周にわたって延びる段差部を形成したことを特徴とするコンソールボックス。
【請求項４】
上部にカップホルダを有するコンソール本体の壁面に凹陥部を形成し、プラグを抜差し可能なレセプタクルを凹陥部に取り付け、該凹陥部のレセプタクル取付面に、レセプタクルを周方向に取り囲む溝状部を形成したことを特徴とするコンソールボックス。
【発明の詳細な説明】
【０００１】
【発明の属する技術分野】
本発明はコンソールボックスに関するものである。
【０００２】
【従来の技術】
フロントシート配置に、運転席と助手席が別体であるセパレートシートを採用した自動車では、両シート間のフロアにコンソールボックスを設置している。
【０００３】
従来、コンソールボックスの車室後方寄り端面に、カップなどを倒れないように支持可能な飲料容器保持部材を取り付けて、コンソールボックスの付加価値を高めたものがある（例えば、特許文献１参照）。
【０００４】
また、図７及び図８に示すように、センタトンネル１上に設置したコンソール本体２の車室後方寄り端部の壁面に車室前方側へ向かってくぼむ形状の凹陥部３を形成し、この凹陥部３に給電用レセプタクル４や音響機器用レセプタクル５を取り付け、これらレセプタクル４，５に差し込んだプラグ（図示せず）を介して電気器具に対する給電や音響機器への信号電流の伝達を行なうようにし、更に、コンソール本体２の車室後方寄りの上部に、カップ６の下部が嵌まり込む凹陥状のカップホルダ７を設けて、コンソールボックスの多機能化を図りたい、という要望がある。
【０００５】
【特許文献１】
実開平６−７１２８４号公報
【０００６】
【発明が解決しようとする課題】
しかしながら、図７及び図８に示すコンソールボックスでは、カップホルダ７に下部が嵌まり込んだ状態のカップ６内部から飲料が飛散したり、または溢れると、その液滴８がコンソール本体２の壁面を伝って凹陥部３に入り込み、前記のレセプタクル４，５の接点を濡らして短絡が生じることが懸念される。
【０００７】
本発明は上述した実情に鑑みてなしたもので、各種レセプタクルの接点の短絡を防止可能なコンソールボックスを提供することを目的としている。
【０００８】
【課題を解決するための手段】
上記目的を達成するために、請求項１に記載のコンソールボックスは、上部にカップホルダを有するコンソール本体の壁面に凹陥部を形成し、プラグを抜差し可能なレセプタクルを凹陥部に取り付け、コンソール本体の壁面に連なる凹陥部の内周面のうちのレセプタクル上方個所にスリットを穿設している。
【０００９】
請求項２に記載のコンソールボックスは、スリット縁部に下方へ向かって突出する液切り突起を設けている。
【００１０】
また、請求項３に記載のコンソールボックスは、上部にカップホルダを有するコンソール本体の壁面に凹陥部を形成し、プラグを抜差し可能なレセプタクルを凹陥部に取り付け、コンソール本体の壁面に連なる凹陥部の内周面に、その全周にわたって延びる段差部を形成している。
【００１１】
更に、請求項４に記載のコンソールボックスは、上部にカップホルダを有するコンソール本体の壁面に凹陥部を形成し、プラグを抜差し可能なレセプタクルを凹陥部に取り付け、該凹陥部のレセプタクル取付面に、レセプタクルを周方向に取り囲む溝状部を形成している。
【００１２】
請求項１に記載のコンソールボックスにおいては、カップ内部から飛散または溢れた飲料の液滴がレセプタクルへ至る経路にスリットを穿設し、液滴の進行をスリットにより阻止して滴下させ、レセプタクルの接点の短絡を防止する。
【００１３】
請求項２に記載のコンソールボックスにおいては、カップ内部から飛散または溢れた飲料の液滴がレセプタクルへ至る経路に穿設したスリットに液切り突起を設け、液滴の進行を液切り突起により阻止して滴下させ、レセプタクルの接点の短絡を防止する。
【００１４】
請求項３に記載のコンソールボックスにおいては、カップ内部から飛散または溢れた飲料の液滴がレセプタクルへ至る経路に段差部を形成し、この液滴の進行を段差部により阻止して凹陥部の外方へ流出させ、レセプタクルの接点の短絡を防止する。
【００１５】
請求項４に記載のコンソールボックスにおいては、カップ内部から飛散または溢れた飲料の液滴がレセプタクルへ至る経路に溝状部を形成し、この液滴の進行を溝状部により阻止して凹陥部の外方へ流出させ、レセプタクルの接点の短絡を防止する。
【００１６】
【発明の実施の形態】
以下、本発明の実施の形態を、図示例とともに説明する。
【００１７】
図１及び図２は本発明のコンソールボックスの実施の形態の第１の例であり、図中、図７及び図８と同一の符号を付した部分は同一物を表わしている。
【００１８】
このコンソールボックスでは、コンソール本体２の凹陥部３の内周面のうちのレセプタクル４上方個所に、車幅方向に延びるスリット９を穿設している。
【００１９】
すなわち、カップ６内部の飲料が飛散または溢れた際に、コンソール本体２の壁面を伝って凹陥部３へ入り込む液滴８は、レセプタクル４取付位置に到達する前に、スリット９により進行を阻止されて滴下し、レセプタクル４の接点の短絡を防止することができる。
【００２０】
図３及び図４は本発明のコンソールボックスの実施の形態の第２の例であり、図中、図７及び図８と同一の符号を付した部分は同一物を表わしている。
【００２１】
このコンソールボックスでは、スリット９の凹陥部３外方寄り縁部に、下方へ向かって突出する液切り突起１０を設けている。
【００２２】
すなわち、カップ６内部の飲料が飛散または溢れた際に、凹陥部３へ入り込む液滴８は、レセプタクル４取付位置に到達する前に、液切り突起１０とスリット９により進行を阻止されて滴下し、レセプタクル４の接点の短絡を防止することができる。
【００２３】
図５及び図６は本発明のコンソールボックスの実施の形態の第３の例であり、図中、図７及び図８と同一の符号を付した部分は同一物を表わしている。
【００２４】
このコンソールボックスでは、コンソール本体２の凹陥部３の内周面に、その全周にわたって延びる段差部１１を、レセプタクル４取付面寄り部分のほうが開口断面が狭まるように形成している。
【００２５】
更に、凹陥部３のレセプタクル４取付面に車室前方側へ向かってくぼむ溝状部１２を、レセプタクル４を周方向に取り囲むように形成している。
【００２６】
すなわち、カップ６内部の飲料が飛散または溢れた際に、凹陥部３へ入り込む液滴８は、レセプタクル４取付位置に到達する前に、段差部１１、または溝状部１２を伝って凹陥部３の内底部からコンソール本体２の壁面へと導かれ、これにより、レセプタクル４の接点の短絡を防止することができる。
【００２７】
なお、本発明のコンソールボックスは、上述した実施の形態のみに限定されるものではなく、本発明の要旨を逸脱しない範囲内において変更を加え得ることは勿論である。
【００２８】
【発明の効果】
以上述べたように本発明のコンソールボックスによれば、下記のような優れた効果を奏し得る。
【００２９】
（１）請求項１に記載のコンソールボックスにおいては、カップ内部から飛散または溢れた飲料の液滴がレセプタクルへ至る経路にスリットを穿設し、液滴の進行をスリットにより阻止するので、レセプタクルの接点に短絡が生じない。
【００３０】
（２）請求項２に記載のコンソールボックスにおいては、カップ内部から飛散または溢れた飲料の液滴がレセプタクルへ至る経路に穿設したスリットに液切り突起を設け、液滴の進行を液切り突起により阻止するので、レセプタクルの接点に短絡が生じない。
【００３１】
（３）請求項３に記載のコンソールボックスにおいては、カップ内部から飛散または溢れた飲料の液滴がレセプタクルへ至る経路に段差部を形成し、この液滴の進行を段差部により阻止するので、レセプタクルの接点に短絡が生じない。
【００３２】
（４）請求項４に記載のコンソールボックスにおいては、カップ内部から飛散または溢れた飲料の液滴がレセプタクルへ至る経路に溝状部を形成し、この液滴の進行を溝状部により阻止するので、レセプタクルの接点に短絡が生じない。
【図面の簡単な説明】
【図１】本発明のコンソールボックスの実施の形態の第１の例を示す縦断面図である。
【図２】図１に関連する凹陥部の正面図である。
【図３】本発明のコンソールボックスの実施の形態の第２の例を示す縦断面図である。
【図４】図３に関連する凹陥部の正面図である。
【図５】本発明のコンソールボックスの実施の形態の第３の例を示す縦断面図である。
【図６】図５に関連する凹陥部の正面図である。
【図７】従来のコンソールボックスの一例を示す斜視図である。
【図８】図７に関連する凹陥部の縦断面図である。
【符号の説明】
２      コンソール本体
３      凹陥部
４      レセプタクル
７      カップホルダ
９      スリット
１０      突起
１１      段差部
１２      溝状部
【図１】
2004314667.tif 000003
【図２】
2004314667.tif 000004
【図３】
2004314667.tif 000005
【図４】
2004314667.tif 000006
【図５】
2004314667.tif 000007
【図６】
2004314667.tif 000008
【図７】
2004314667.tif 000009
【図８】
2004314667.tif 000010